(57)【要約】【課題】  画像のちらつきを目立たなくすることができる液晶装置の駆動方法、液晶装置、及び電子機器を提供する。【解決手段】  複数の電極に対して走査信号とデータ信号とを供給して画像を表示する第１モードと、複数の電極に対して走査信号とデータ信号とを供給せずに画像を表示しない第２モードと、画像の濃度を第２モードの濃度に近い濃度となるように複数の電極に走査信号とデータ信号とを供給する第３モードと、画像の濃度を第１モードと第３モードとの間の濃度となるように複数の電極に走査信号とデータ信号とを供給する第４モードとを有し、表示部の第１領域を第１モードとし、表示部の第１領域を除く領域を第２モードとし、第１領域を第１モードから第３モードに切り替えて第１領域の画像を消去する時に、第１領域を第４モードに切り替えた後に、表示部の全領域を第３モードに切り替えること、を特徴とする。【選択図】        図７
2007003783.tif 000002
【特許請求の範囲】
【請求項１】
表示部内に配設された複数の電極に対して供給する走査信号とデータ信号とを制御して液晶を制御する制御部を備える液晶装置の駆動方法であって、
前記表示部において、
前記複数の電極に対して走査信号とデータ信号とを供給して画像を表示する第１モードと、
前記複数の電極に対して走査信号とデータ信号とを供給せずに画像を表示しない第２モードと、
画像の濃度を前記第２モードの濃度に近い濃度となるように前記複数の電極に走査信号とデータ信号とを供給する第３モードと、
画像の濃度を前記第１モードと前記第３モードとの間の濃度となるように前記複数の電極に走査信号とデータ信号とを供給する第４モードとを有し、
前記表示部の第１領域を第１モードとし、
前記表示部の前記第１領域を除く領域を第２モードとし、
前記第１領域を前記第１モードから前記第３モードに切り替えて前記第１領域の画像を消去する時に、
前記第１領域を前記第４モードに切り替えた後に、
前記表示部の全領域を前記第３モードに切り替えること、
を特徴とする液晶装置の駆動方法。
【請求項２】
前記制御部は、
前記表示部の全領域を前記第３モードに切り替えた後、
前記表示部の前記第１領域とは位置を変えた前記表示部の第２領域に前記第３モードの濃度のまま画像を表示し、
前記表示部の前記第２領域を除く領域を前記第２モードとし、
前記第２領域を前記第３モードから前記第４モードに切り替えた後に、
前記第２領域を前記第４モードから前記第１モードに切り替えること、
を特徴とする請求項１に記載の液晶装置の駆動方法。
【請求項３】
前記制御部は、
前記第１領域及び前記第２領域における濃度を徐々に変化させること、
を特徴とする請求項２に記載の液晶装置の駆動方法。
【請求項４】
前記制御部は、
前記第１領域を前記第１モードから前記第３モードに切り替える時、
前記第１領域における画像の濃度を徐々に薄くし、
前記第１領域における画像の濃度が所定の濃度よりも薄くなってから、前記表示部の全領域を前記第１モードから前記第３モードに切り替えること、
を特徴とする請求項１から請求項３のいずれか一項に記載の液晶装置の駆動方法。
【請求項５】
前記制御部は、
前記第１領域を前記第１モードから前記第３モードに切り替える時、
前記第１領域における画像の濃度を段階的に薄くするように制御し、
前記第１領域における画像の濃度が所定の濃度よりも薄くなるのに必要な段階数を記憶し、
前記第１領域における画像の濃度を前記段階数だけ薄くし、
前記第２領域における画像の濃度を前記段階数だけ濃くすること、
を特徴とする請求項２又は請求項３に記載の液晶装置の駆動方法。
【請求項６】
前記所定の濃度は、前記第２モードの色の濃さと前記第３モードの濃さのと差が最も小さくなる濃度であること、
を特徴とする請求項４又は請求項５に記載の液晶装置の駆動方法。
【請求項７】
前記表示部は、前記複数の電極に対して走査信号とデータ信号とを供給しない時に白表示となるノーマリーホワイトモードの表示形態であること、
を特徴とする請求項１から請求項６のいずれか一項に記載の液晶装置の駆動方法。
【請求項８】
表示部内に配設された複数の電極に対して供給する走査信号とデータ信号とを制御して液晶を制御する制御部を備える液晶装置であって、
前記制御部は、請求項１から請求項７のいずれか一項に記載の液晶装置の駆動方法を行うこと、
を特徴とする液晶装置。
【請求項９】
請求項８に記載の液晶装置を備えること、
を特徴とする電子機器。
【発明の詳細な説明】
【技術分野】
【０００１】
本発明は、液晶装置の駆動方法、液晶装置、及び電子機器に関するものである。
【背景技術】
【０００２】
従来、液晶装置においては、対向する電極間に電圧を印加することにより液晶を配向させ、画像を表示している。このような液晶は、電圧印加状態が継続されたり、電極間に電荷が残留したりすることで、焼き付いてしまう性質を有している。そこで、ノーマリーホワイトモードの液晶装置においては、画像を消去する前にディスプレイの全面の液晶に電圧を印加して白表示を行い、画像を消去する駆動方法が行われている。また、近年では、電圧無印加における単安定化を行う技術が提案されている（例えば、特許文献１参照。）。
【０００３】
一方、液晶装置の表示方法として、パーシャル表示と呼ばれる方法が知られている。これはディスプレイの一部分において電圧印加による画像を表示し、他の部分において電圧非印加によるノーマリーホワイト或いはノーマリーブラックの画像を表示させるものである。また、このようなパーシャル表示による画像をスクロール（ディスプレイ内で表示をずらす）を行って、液晶の焼き付きを防止している。
【特許文献１】特開２０００−２７５６１４号公報
【発明の開示】
【発明が解決しようとする課題】
【０００４】
しかしながら、本発明者によれば、特にノーマリーホワイトモードの液晶装置において、パーシャル表示している画像のスクロール表示を行う際に、１フレーム（６０分の１秒）の間画像にちらつきが生じてしまうという問題を見出した。
本発明は、上記従来技術の問題点に鑑み成されたものであって、画像のちらつきを目立たなくすることができる液晶装置の駆動方法、液晶装置、及び電子機器を提供することを目的としている。
【課題を解決するための手段】
【０００５】
ノーマリーホワイトモードの液晶装置において、パーシャル表示している画像をスクロールさせて表示する際に、電極間に印加されている電圧を抜くために１フレームの間ディスプレイの全面に電圧印加による白表示をして画像を消去している。本発明者によれば、白表示による画像消去の際に、表示している画像が突然電圧印加による白表示になり、その後、表示領域変更後の画像を所定電圧に戻すことに起因してちらつきが発生することが見出された。また、電圧印加による白表示の色と、電圧非印加による白表示の色とを比較すると、色合いに若干の違いがあることが見出された。また、詳細には、電圧印加による白表示の色が、電圧非印加による白表示と比べて濃い色であることが確認された。従って、このような液晶装置において、画像のパーシャル表示をスクロールさせて表示を行うと、１フレームの間ディスプレイの全面に電圧印加による白表示が行われ、その電圧印加による白表示の色合いが、電圧非印加による白表示とは異なっていることに起因してちらつきが生じることが見出された。
本発明者は、上記の問題点を解決すべく、以下の手段を有する本発明を想到した。
【０００６】
即ち、本発明の液晶装置の駆動方法は、表示部内に配設された複数の電極に対して供給する走査信号とデータ信号とを制御して液晶を制御する制御部を備える液晶装置の駆動方法であって、前記表示部において、前記複数の電極に対して走査信号とデータ信号とを供給して画像を表示する第１モードと、前記複数の電極に対して走査信号とデータ信号とを供給せずに画像を表示しない第２モードと、画像の濃度を前記第２モードの濃度に近い濃度となるように前記複数の電極に走査信号とデータ信号とを供給する第３モードと、画像の濃度を前記第１モードと前記第３モードとの間の濃度となるように前記複数の電極に走査信号とデータ信号とを供給する第４モードとを有し、前記表示部の第１領域を第１モードとし、前記表示部の前記第１領域を除く領域を第２モードとし、前記第１領域を前記第１モードから前記第３モードに切り替えて前記第１領域の画像を消去する時に、前記第１領域を前記第４モードに切り替えた後に、前記表示部の全領域を前記第３モードに切り替えること、を特徴としている。
【０００７】
このような液晶装置の駆動方法においては、まず、制御部は、表示部の第１領域に第１モードによって画像を表示する。ここで、表示部における第１領域を除く領域（以下、他の領域と称する。）を第２モードとしている。換言すれば、第１領域においては、複数の電極に走査信号とデータ信号とが供給されることで画像が表示されるのに対し、他の領域においては、複数の電極に走査信号とデータ信号とが供給されず、画像が非表示となっている。
次に、制御部は、表示部の第１領域における画像を第３モードによって消去する。その際に、第１領域を第４モードに切り替え、その後に表示部の全領域（第１領域及び他の領域を含む）を第３モードに切り替える。
【０００８】
このようにすれば、表示部の第１領域に表示される画像の色を、第４モードによって薄くしてから、更に第３モードによって薄くすることができ、第２モードの濃度に近い濃度にすることができる。これにより、画像を消去させるための１フレームの間表示される白表示が突然表示され、その後、表示領域変更後の画像を所定電圧(初期値)に戻す際に発生することに起因するちらつきを防止できる。
換言すると、第１モードから第２モードに向けて、画像の濃度を一度（一気）に減少させる場合では、画像の色が一度に変化してしまうため、表示部の色が突然変化してしまうが、本発明によれば、このような表示部の色が突然変化するということを防止できる。
また、表示部の第１領域において、１フレームの間表示される白表示も薄くなり、第２モードによる白表示との差が減少するので、第３モードによる白表示と第２モードによる白表示との差異に起因するちらつきを防止できる。
【０００９】
従って、本発明によれば、第４モードによって画像の色を薄くすると共に、全領域を第３モードに切り替えているので、従来問題となっていたちらつきを防止できる。特に、パーシャル表示をスクロールさせる場合において、有効的にちらつきを防止できる。
【００１０】
また、本発明の液晶装置の駆動方法においては、前記制御部は、前記表示部の全領域を前記第３モードに切り替えた後、前記表示部の前記第１領域とは位置を変えた前記表示部の第２領域に前記第３モードの濃度のまま画像を表示し、前記表示部の前記第２領域を除く領域を前記第２モードとし、前記第２領域を前記第３モードから前記第４モードに切り替えた後に、前記第２領域を前記第４モードから前記第１モードに切り替えること、を特徴としている。
【００１１】
このような液晶装置の駆動方法においては、上記のように表示部の全領域を第３モードに切り替えた後に、制御部は、第２領域に第３モードの濃度のまま画像を表示する。そして、表示部における第２領域を除く領域（以下、他の領域と称する。）を第２モードとしている。その後、第２領域において画像を第３モードから第４モードに切り替え、更に、当該第２領域において画像を第４モードから第１モードに切り替える。
このようにすれば、第２領域において第３モード、第４モード、及び第１モードの順に画像の色を順に濃くして表示するので、表示部の色が突然変化することを防止できる。
【００１２】
また、本発明の液晶装置の駆動方法においては、前記制御部は、前記第１領域及び前記第２領域における濃度を徐々に変化させること、を特徴としている。
このようにすれば、第１領域に表示された画像が第１モードから第３モードに切り替わる際に、当該画像の濃度が第４モードによって徐々に低くなるので、表示部の色が突然変化することを防止できる。
また、第２領域に表示される画像が第３モードから第１モードに切り替わる際に、当該画像の濃度が第４モードによって徐々に高くなるので、表示部の色が突然変化することを防止できる。
【００１３】
また、本発明の液晶装置の駆動方法においては、前記制御部は、前記第１領域を前記第１モードから前記第３モードに切り替える時、前記第１領域における画像の濃度を徐々に薄くし、前記第１領域における画像の濃度が所定の濃度よりも薄くなってから、前記表示部の全領域を前記第１モードから前記第３モードに切り替えること、を特徴としている。
このようにすれば、第１領域における画像の濃度が所定の濃度よりも薄くなってから、表示部の全領域を第３モードに切り替えることで、上記と同様の効果が得られる。
【００１４】
また、本発明の液晶装置の駆動方法においては、前記制御部は、前記第１領域を前記第１モードから前記第３モードに切り替える時、前記第１領域における画像の濃度を段階的に薄くするように制御し、前記第１領域における画像の濃度が所定の濃度よりも薄くなるのに必要な段階数を記憶し、前記第１領域における画像の濃度を前記段階数だけ薄くし、前記第２領域における画像の濃度を前記段階数だけ濃くすること、を特徴としている。
このようにすれば、第１領域における画像は、所定の段階数だけ薄くなってから、表示部の全領域を第３モードに切り替えるので、上記と同様の効果が得られる。
また、第２領域における画像は、所定の段階数だけ濃くなるので、上記と同様の効果が得られる。
【００１５】
また、本発明の液晶装置の駆動方法においては、前記所定の濃度は、前記第２モードの色の濃さと前記第３モードの濃さのと差が最も小さくなる濃度であること、を特徴としている。
このようにすれば、複数の電極に走査信号とデータ信号とを供給する第３モードにおける画像の濃度と、複数の電極に走査信号とデータ信号とを供給しない第２モードにおける画像の濃度とを、略同じ（実質的に同じ）にすることができる。
【００１６】
また、本発明の液晶装置の駆動方法においては、前記表示部は、前記複数の電極に対して走査信号とデータ信号とを供給しない時に白表示となるノーマリーホワイトモードの表示形態であること、を特徴としている。
このようにすれば、ノーマリーホワイトモードの液晶装置において、第３モードによる白表示と、第２モードによる白表示との違いを目立たなくすることができる。
【００１７】
また、本発明の液晶装置は、表示部内に配設された複数の電極に対して供給する走査信号とデータ信号とを制御して液晶を制御する制御部を備える液晶装置であって、前記制御部は、先に記載の液晶装置の駆動方法を行うこと、を特徴としている。
このようにすれば、ちらつきが防止された液晶装置を実現できる。そして、特にパーシャル表示をスクロールさせる場合において、ちらつきが防止された液晶装置を実現できる。即ち、上記の駆動方法と同様の効果が得られる。
【００１８】
また、本発明の電子機器は、先に記載の液晶装置を備えること、を特徴としている。
このようにすれば、ちらつきが防止された表示部を備える電子機器を実現できる。そして、特にパーシャル表示をスクロールさせる場合において、ちらつきの防止を実現できる。
【発明を実施するための最良の形態】
【００１９】
以下、本発明に係る液晶装置の駆動方法、液晶装置、及び電子機器について説明する。
なお、各図においては、各層や各部材を図面上で認識可能な程度の大きさとするため、各層や各部材毎に縮尺を異ならせて表示している。
【００２０】
（液晶装置）
まず、本発明の液晶装置の実施形態について説明する。
以下に示す本実施形態の液晶装置は、スイッチング素子として薄膜ダイオード（Thin Film Diode、以下、ＴＦＤと略記する）を用いたアクティブマトリクス型であると共に、バックライトからの光を利用して表示を可能にした透過型の液晶装置である。また、当該液晶装置は、互いに対向する電極（後述）に対して走査信号（後述）とデータ信号（後述）とが供給されていない状態でバックライト光を透過させるノーマリーホワイトモードである。
【００２１】
まず、図１に基づいて、本実施形態の液晶装置１００の断面構造について説明する。
図１に示すように、液晶装置１００は、対向する基板１０，２０間に液晶層５０を備えた構成となっている。
ここで、基板１０はＴＦＤを備えるＴＦＤ基板であり、基板２０はＴＦＤ基板１０に対向する対向基板である。また、基板１０，２０の間には液晶層５０を内包するようにシール剤５２が設けられている。
【００２２】
また、ＴＦＤ基板１０は、ガラス基板等の透明性部材を基体とし、その表面にフルカラー表示可能な画像表示部（表示部）４、シール部材５２、周辺見切り部材５３、走査信号駆動回路１１０、及びデータ信号駆動回路１２０を備えている。画像表示部４には、画素電極（電極）３１とＴＦＤ素子４０とがマトリクス状に配列されている。また、ＴＦＤ基板１０には、後述するＦＰＣが付設されており、駆動回路１１０，１２０に電力を供給するようになっている。
【００２３】
また、対向基板２０は、ガラス基板等の透明性部材を基体とし、ＴＦＤ基板１０の画素電極３１の境界領域と対向する領域に、ブラックマトリクスと称せられる遮光膜２３が形成され、その上層側にはＩＴＯ膜からなるストライプ状の共通電極（電極）９が形成されている。また、画素電極３１及び共通電極９の表面の液晶層５０と接触する側には、ポリイミドを主体として構成される膜に対してラビング処理が施された配向膜が形成されている。
【００２４】
次に、図２に基づいて、本実施形態の液晶装置１００の等価回路について説明する。
図２に示すように、液晶装置１００は、走査信号駆動回路１１０及びデータ信号駆動回路１２０を有している。液晶装置１００には、信号線として、複数の走査線１３と、当該走査線１３と交差する複数のデータ線９とが設けられている。走査線１３は、走査信号駆動回路１１０により、データ線９はデータ信号駆動回路１２０により、各々駆動される。これによって、走査線１３は走査信号をＴＦＤ素子４０に与えたり、或いは、与えなかったりすることが可能となっている。また、データ線９は、データ信号を共通電極９に与えたり、或いは、与えなかったりすることが可能となっている。
即ち、走査線１３及びデータ線９において、各々を伝達する走査信号とデータ信号とによって、画素電極３１及び共通電極９の間に所望の電位差を生じさせること可能となっている。また、各画素１５０において、走査線１３とデータ線９との間にＴＦＤ素子４０と液晶表示要素１６０（液晶層５０）とが直列に接続されている。従って、走査信号及びデータ信号によって液晶表示要素１６０に電位差を生じさせたり、生じさせなかったりすることが可能となっている。
なお、図２では、ＴＦＤ素子４０が走査線１３側に接続され、液晶表示要素１６０がデータ線９側に接続されているが、これとは逆にＴＦＤ素子４０をデータ線９側に、液晶表示要素１６０を走査線１３側に設ける構成としてもよい。
【００２５】
次に、図３に基づいて、本実施形態の液晶装置１００に具備された画素の構造について模式的に説明する。
図３に示すように、液晶装置１００では、走査線１３に対しＴＦＤ素子４０を介して接続された画素電極３１がマトリクス状に設けられており、当該画素電極３１と紙面垂直方向に平面的に対向して共通電極９が短冊状に設けられている。共通電極９は、図２におけるデータ線９と同一であり、走査線１３と交差する形のストライプ形状を有している。本実施形態において、各画素電極３１が形成された個々の領域が１つの画素であり、マトリクス状に配置された各画素にＴＦＤ素子４０が具備されており、当該画素毎に表示が可能な構成になっている。
ＴＦＤ素子４０は、走査線１３と画素電極３１とを接続するスイッチング素子であって、ＴＦＤ素子４０は、Ｔａを主成分とする第１導電膜と、第１導電膜の表面に形成され、Ｔａ２Ｏ３を主成分とする絶縁膜と、絶縁膜の表面に形成され、Ｃｒを主成分とする第２導電膜とを含むＭＩＭ（Metal-Insulator-Metal）構造を具備して構成されている。そして、ＴＦＤ素子４０の第１導電膜が走査線１３に接続され、第２導電膜が画素電極３１に接続されている。
【００２６】
また、ＴＦＤ基板１０又は対向基板２０のいずれか一方には、Ｒ（赤）、Ｇ（緑）、Ｂ（青）からなる３色のカラーフィルタが設けられている。当該ＲＧＢの各色は、画素電極３１の一方の配列方向、或いは、共通電極９の延在方向に沿って、ストライプ状に設けられている（図３中の縦方向若しくは左右方向）。また、カラーフィルタの各色は、画素電極３１に重なるように配置されており、従って、液晶装置１００は画素毎にＲＧＢの各色を表示させることが可能となっている。また、ＲＧＢの各色の画素が一つのまとまりとなって表示単位が構成されており、当該表示単位毎にフルカラー表示が可能となっている。従って、画像表示部４に表示される画像（後述）は、フルカラー画像となる。
【００２７】
次に、図４に基づいて、本実施形態の液晶装置１００のブロック構成図について説明する。
図４に示すように、液晶装置１００は、ＴＦＤ基板１０に付設されたＦＰＣ（Flexible Printed Circuit）６０を備えている。当該ＦＰＣ６０には、パワーＩＣ６１が実装されており、当該パワーＩＣ６１が走査信号駆動回路１１０やデータ信号駆動回路１２０に対して駆動信号や駆動電力を供給することが可能となっている。また、走査信号駆動回路１１０やデータ信号駆動回路１２０には、ＦＰＣ６１の配線を通じて、ＭＰＵ（制御部）６２の制御信号が付与されるようになっており、ＭＰＵ６２は予め設定されたシーケンス等のプログラムに応じて走査信号駆動回路１１０やデータ信号駆動回路１２０を駆動させることが可能となっている。また、ＭＰＵ６２は、画素電極３１と共通電極９との間に生じさせる電位差を階段状に変化させ、電位差の増減を制御することが可能となっている。また、ＭＰＵ６２は、画素電極３１と共通電極９との間に生じる電位差を階段状に変化させるのに必要な段階数を記憶するようになっている。
このようなブロック構成を有する液晶装置１００は、走査信号駆動回路１１０及びデータ信号駆動回路１２０によって、プログラムに応じさせて画素電極３１と共通電極９との間に所望の電位差を生じさせたり、生じさせなかったりして、後述する液晶装置の駆動方法を行うようになっている。具体的には、画像表示部４に表示される画像の濃度を、高濃度表示モード、中濃度表示モード、低濃度表示モード、及び非表示モードによって、切り替えることが可能となっている。
【００２８】
（液晶装置の駆動方法の第１実施形態）
次に、図５〜８に基づいて、本実施形態に係る液晶装置の駆動方法の第１実施形態を説明する。
図５は、本実施形態の液晶装置の画像表示部４にスクロール表示される画像を示す図である。図６は、図５においてスクロール表示される画像を詳細に説明するための図である。図７は、本実施形態の液晶装置の駆動方法を説明するための図であって、図６のスクロール表示を行うためのフローチャート図である。図８は、図７のフローチャート図に基づく画像のボリューム（濃度）の変化を示す図である。なお、図８において、横軸は時間の経過を示し、縦軸はボリューム（Volume）を示している。また、ボリュームとは、画像を表示させるため画素電極３１と共通電極９との電位差を意味する。
【００２９】
本実施形態においては、画像表示部４が画像をパーシャル表示させながら、当該画像をスクロールさせる場合について説明する。パーシャル表示は、図５に示すように、査線単位での領域選択によって、画像を表示するため、画像表示部４の左右方向は全画面表示を行い、その縦方向は任意のライン数による表示を行うものとなっている。
【００３０】
また、本実施形態においては、最初に画像表示部４内の画面上部（第１領域）４ａに画像７０を表示し、その後に画面中央部（第２領域）４ｂに画像７０をスクロール表示される場合について説明する。
また、画像表示部４においては、複数の電極（画素電極３１及び共通電極９、以下、電極３１，９と称する）に対して走査信号とデータ信号とを供給したり、供給しなかったり、或いは、供給する電位を調整したりすることで、４つの表示モードを行うようになっている。
具体的には、画像７０を高い濃度で表示する高濃度表示モード（第１モード）と、画像７０を表示しない非表示モード（第２モード）と、画像７０の濃度を非表示モードの濃度に近い濃度にする低濃度表示モード（第３モード）と、画像７０の濃度が高濃度表示モードと低濃度表示モードとの間の濃度にする中濃度表示モード（第４モード）と、によって、表示を行うようになっている。
本実施形態の液晶装置１００は、ノーマリーホワイトモードの表示形態であるため、電極３１，９に対して走査信号とデータ信号とを供給しないことによって、上記の非表示モード、即ち、白表示を行うようになっている。
【００３１】
次に、図６を参照して、画像７０をパーシャル表示させながらスクロールさせる液晶装置の駆動方法について説明する。
まず、図６（ａ）に示すように、画像表示部４内の画面上部４ａにおいて、高濃度表示モードによって画像７０を表示する。また、当該画像表示部４における画像７０を除く領域７１は、非表示モードとなっている。
【００３２】
次に、図７のフローチャート図のステップＳ１において、画像７０を表示させている電極３１，９の電位差を徐々に下げながら、中濃度表示モードによって画像７０を表示する。これによって、図６（ｂ）に示すように、画面上部４ａにおいて画像７０の濃度は低くなり、当該画像７０の濃度と領域７１の濃度との差が小さくなる（ボリュームダウン）。
【００３３】
次に、ステップＳ２において、画像７０が所定の濃度となっているか否かを判定する。ここで、所定の濃度とは、非表示モードの色の濃さと、低濃度表示モードの色の濃さとの差が最も小さくなる濃度を意味している。
ここで、所定の濃度となっていない場合（ＮＯの場合）では、再びステップＳ１に戻り、中濃度表示モードによるボリュームダウンが行われる。従って、図６（ｂ）に示すように、画面上部４ａにおいて、画像７０の濃度は更に低くなり、画像７０の濃度と領域７１の濃度との差が更に小さくなる。そして、再びステップＳ２において、画像７０が所定の濃度となっているか否かを判定する。
【００３４】
このように、ステップＳ１とステップＳ２を繰り返すことにより、画像表示部４内の画面上部４ａに表示される画像７０のボリュームは、図８中符号８０ａに示すように時間の経過と共に徐々に低くなる。ここで、ボリュームは階段状に低くなっているが、これは、電極３１，９の電位差の階調段階数を一つずつ順次低下させていることを意味している。このように階段状にボリュームを低下させると、画像表示部４には画像７０が視覚的に緩やかに薄くなりながら表示される。
【００３５】
そして、ステップＳ２において、画像７０が所定の濃度となっている場合（ＹＥＳの場合）には、画像表示部４の全領域（画面上部４ａ及び領域７１を含む）７２を低濃度表示モードに切り替える（ステップＳ３）。これによって、図６（ｃ）に示すように、画像表示部４の全領域７２が同一濃度によって白表示となる。
次に、画像７０をスクロール表示させるために、画面上部４ａとは位置を変えた画面中央部４ｂに低濃度表示モードの画像７０を表示し、画像表示部４における画像７０を除く領域７１は、非表示モードとする。
【００３６】
次に、図７のフローチャート図のステップＳ４において、画像７０を表示させている電極３１，９の電位差を徐々に上げながら、中濃度表示モードによって画像７０を表示する。これによって、図６（ｄ）に示すように、画面中央部４ｂにおいて画像７０の濃度は濃くなり、当該画像７０の濃度と領域７１の濃度との差が大きくなる（ボリュームアップ）。
【００３７】
次に、ステップＳ５において、画像７０が元の濃度であるか否かを判定する。ここで、元の濃度とは、ステップＳ１によるボリュームダウンを行う前の濃度を意味し、即ち、高濃度表示モードにおける濃度を意味する。
ここで、元の濃度となっていない場合（ＮＯの場合）では、再びステップＳ４に戻り、中濃度表示モードによるボリュームアップが行われる。従って、図６（ｄ）に示すように、画面中央部４ｂにおいて、画像７０の濃度は更に高くなり、画像７０の濃度と領域７１の濃度との差が更に大きくなる。そして、再びステップＳ５において、画像７０が元の濃度となっているか否かを判定する。
【００３８】
このように、ステップＳ４とステップＳ５を繰り返すことにより、画像表示部４内の画面中央部４ｂに表示される画像７０のボリュームは、図８中符号８０ｂに示すように時間の経過と共に徐々に高くなる。ここで、ボリュームは階段状に高くなっているが、これは、画素３１，９の電位差の階調段階数を一つずつ順次上昇させていることを意味している。このように階段状にボリュームを上昇させると、画像表示部４には画像７０が視覚的に緩やかに濃くなりながら表示される。
【００３９】
そして、ステップＳ５において、画像７０が元の濃度となっている場合（ＹＥＳの場合）には終了となり、図６（ｅ）に示す画像表示部４の画面中央部４ｂには高濃度表示モードの画像７０が表示される。
【００４０】
上述したように、本実施形態の液晶装置の駆動方法によれば、画像表示部４の画面上部４ａに表示される画像７０の色を、中濃度表示モードによって薄くしてから、更に低濃度表示モードによって薄くすることができ、非表示モードの濃度に近い濃度にすることができる。これにより、画像７０を消去させるための１フレームの間表示される白表示が突然表示され、その後、表示領域変更後（画面上部４ａから画面中央部４ａへの変更後）の画像７０を所定電圧(初期値)に戻す際に発生することに起因するちらつきを防止できる。
換言すると、高濃度表示モードから非表示モードに向けて、画像の濃度を一度（一気）に減少させる場合では、画像７０の色が一度に変化してしまうため、画像表示部４の色が突然変化してしまうが、本実施形態によれば、このような画像表示部４の色が突然変化するということを防止できる。
また、画像表示部４の画面上部４ａにおいて、１フレームの間表示される白表示も薄くなり、非表示モードによる白表示との差が減少するので、低濃度表示モードによる白表示と非表示モードによる白表示との差異に起因するちらつきを防止できる。
【００４１】
従って、中濃度表示モードによって画像７０の色を薄くすると共に、全領域７２を低濃度表示モードに切り替えているので、従来問題となっていたちらつきを防止できる。特に、パーシャル表示をスクロールさせる場合において、有効的にちらつきを防止できる。
【００４２】
また、このような液晶装置の駆動方法においては、画面中央部４ｂにおいて低濃度表示モード、中濃度表示モード、及び高濃度表示モードの順に画像７０の色を順に濃くして表示するので、画像表示部４の色が突然変化することを防止できる。
【００４３】
また、このような液晶装置の駆動方法においては、中濃度表示モードによるボリュームダウン又はボリュームアップを行っているので、画面上部４ａに表示された画像７０が高濃度表示モードから低濃度表示モードに切り替わる際に、徐々に濃度が低くなるので、画像表示部４の色が突然変化することを防止できる。
また、画面中央部４ｂに表示された画像７０が低濃度表示モードから高濃度表示モードに切り替わる際に、徐々に濃度が高くなるので、画像表示部４の色が突然変化することを防止できる。
【００４４】
また、このような液晶装置の駆動方法においては、画面上部４ａにおける画像の濃度が所定の濃度よりも薄くなってから、画像表示部４の全領域７２を低濃度表示モードに切り替えることで、ちらつきを防止できる。
【００４５】
（液晶装置の駆動方法の第２実施形態）
次に、図９に基づいて、本実施形態に係る液晶装置の駆動方法の第２実施形態を説明する。
図９は、本実施形態の液晶装置の駆動方法を説明するための図であって、図６のスクロール表示を行うためのフローチャート図である。
なお、本実施形態では、上記の実施形態と異なる部分について説明し、同一構成や同一ステップには、同一符号を付して詳細な説明を省略する。また、本実施形態においては、上記の図５、図６、及び図８を流用して説明している。
【００４６】
本実施形態の液晶装置の駆動方法においては、ボリュームダウン及びボリュームアップの段階数が既知であり、当該既知の段階数がＭＰＵ６２に設定値として記憶設定されている。以下では、ボリュームダウン及びボリュームアップの段階数が共に２０段に設定されている場合について説明する。
【００４７】
まず、図６（ａ）に示すように、画像表示部４内の画面上部４ａにおいて、高濃度表示モードによって画像７０を表示する。また、当該画像表示部４における画像７０を除く領域７１は、非表示モードとなっている。
【００４８】
次に、図９のフローチャート図のステップＳ１において、画像７０を表示させている電極３１，９の電位差を徐々に下げながら、中濃度表示モードによって画像７０を表示する。これによって、図６（ｂ）に示すように、画面上部４ａにおいて画像７０の濃度は低くなり、当該画像７０の濃度と領域７１の濃度との差が小さくなる（ボリュームダウン）。
【００４９】
次に、ステップＳ２Ａにおいて、画像７０のボリュームダウンの段階数が設定値を満たすか否かを判定する。
ここで、段階数が設定値を満たしていない場合（ＮＯの場合）では、再びステップＳ１に戻り、中濃度表示モードによるボリュームダウンが行われる。従って、図６（ｂ）に示すように、画面上部４ａにおいて、画像７０の濃度は更に低くなり、画像７０の濃度と領域７１の濃度との差が更に小さくなる。そして、ステップＳ２Ａにおいて、画像７０のボリュームダウンの段階数が設定値を満たすか否かを判定する。
【００５０】
このように、ステップＳ１とステップＳ２Ａを繰り返すことにより、画像表示部４内の画面上部４ａに表示される画像７０のボリュームは、図８中符号８０ａに示すように時間の経過と共に徐々に低くなる。ここで、ボリュームは階段状に低くなっているが、これは、電極３１，９の電位差の階調段階数を一つずつ順次低下させていることを意味している。このように階段状にボリュームを低下させると、画像表示部４には画像７０が視覚的に緩やかに薄くなりながら表示される。なお、ボリュームダウンの段階数は、２０段に設定されているので、これを満たすまでボリュームダウンが行われる。
【００５１】
そして、ステップＳ２Ａにおいて、画像７０のボリュームダウンの段階数が設定値を満たす場合（ＹＥＳの場合）には、画像表示部４の全領域７２を低濃度表示モードに切り替える（ステップＳ３）。これによって、図６（ｃ）に示すように、画像表示部４の全領域７２が同一濃度によって白表示となる。
次に、画像７０をスクロール表示させるために、画面上部４ａとは位置を変えた画面中央部４ｂに低濃度表示モードの画像７０を表示し、画像表示部４における画像７０を除く領域７１は、非表示モードとする。
【００５２】
次に、図９のフローチャート図のステップＳ４において、画像７０を表示させている電極３１，９の電位差を徐々に上げながら、中濃度表示モードによって画像７０を表示する。これによって、図６（ｄ）に示すように、画面中央部４ｂにおいて画像７０の濃度は濃くなり、当該画像７０の濃度と領域７１の濃度との差が大きくなる（ボリュームアップ）。
【００５３】
次に、ステップＳ５Ａにおいて、画像７０のボリュームアップの段階数が設定値を満たすか否かを判定する。
ここで、段階数が設定値を満たしていない場合（ＮＯの場合）では、再びステップＳ４に戻り、中濃度表示モードによるボリュームアップが行われる。従って、図６（ｄ）に示すように、画面中央部４ｂにおいて、画像７０の濃度は更に高くなり、画像７０の濃度と領域７１の濃度との差が更に大きくなる。そして、再びステップＳ５Ａにおいて、画像７０のボリュームアップの段階数が設定値を満たすか否かを判定する。
【００５４】
このように、ステップＳ４とステップＳ５Ａを繰り返すことにより、画像表示部４内の画面中央部４ｂに表示される画像７０のボリュームは、図８中符号８０ｂに示すように時間の経過と共に徐々に高くなる。ここで、ボリュームは階段状に高くなっているが、これは、画素３１，９の電位差の階調段階数を一つずつ順次上昇させていることを意味している。このように階段状にボリュームを上昇させると、画像表示部４には画像７０が視覚的に緩やかに濃くなりながら表示される。なお、ボリュームアップの段階数は、２０段に設定されているので、これを満たすまでボリュームアップが行われる。
【００５５】
そして、ステップＳ５Ａにおいて、画像７０のボリュームアップの段階数が設定値を満たしている場合（ＹＥＳの場合）には終了となり、図６（ｅ）に示す画像表示部４の画面中央部４ｂには高濃度表示モードの画像７０が表示される。
【００５６】
上述したように、本実施形態の液晶装置の駆動方法によれば、画面上部４ａにおける画像７０は、所定の段階数（本実施形態では２０段）だけ薄くなってから、画像表示部４の全領域７２を低濃度表示モードに切り替えるので、上記の実施形態と同様の効果が得られる。
また、画面中央部４ｂにおける画像７０は、所定の段階数（本実施形態では２０段）だけ濃くなるので、上記の実施形態と同様の効果が得られる。
【００５７】
（液晶装置の駆動方法の第３実施形態）
次に、図１０〜１２に基づいて、本実施形態に係る液晶装置の駆動方法の第３実施形態を説明する。
図１０は、本実施形態の液晶装置の画像表示部４に表示される画像を詳細に説明するための図である。図１１は、本実施形態の液晶装置の駆動方法を説明するための図であって、図１０の表示を行うためのフローチャート図である。図１２は、図１０のフローチャート図に基づく画像のボリュームの変化を示す図である。なお、図１２において、横軸は時間の経過を示し、縦軸はボリューム（Volume）を示している。また、ボリュームとは、画像を表示させるため画素電極３１と共通電極９との電位差を意味する。
なお、本実施形態では、上記の実施形態と異なる部分について説明し、同一構成や同一ステップには、同一符号を付して詳細な説明を省略する。
【００５８】
本実施形態においては、液晶装置１００がパーシャル表示をしながら、画像表示部４の全画面消去を行う場合について説明する。
まず、図１０（ａ）に示すように、画像表示部４内の画面上部４ａにおいて、高濃度表示モードによって画像７０を表示する。また、当該画像表示部４における画像７０を除く領域７１は、非表示モードとなっている。
【００５９】
次に、図１１のフローチャート図のステップＳ１において、画像７０を表示させている電極３１，９の電位差を徐々に下げながら、中濃度表示モードによって画像７０を表示する。これによって、図１０（ｂ）に示すように、画面上部４ａにおいて画像７０の濃度は低くなり、当該画像７０の濃度と領域７１の濃度との差が小さくなる（ボリュームダウン）。
【００６０】
次に、ステップＳ２において、画像７０が所定の濃度となっているか否かを判定する。ここで、所定の濃度とは、非表示モードの色の濃さと、低濃度表示モードの色の濃さとの差が最も小さくなる濃度を意味している。
ここで、所定の濃度となっていない場合（ＮＯの場合）では、再びステップＳ１に戻り、中濃度表示モードによるボリュームダウンが行われる。従って、図１０（ｂ）に示すように、画面上部４ａにおいて、画像７０の濃度は更に低くなり、画像７０の濃度と領域７１の濃度との差が更に小さくなる。そして、再びステップＳ２において、画像７０が所定の濃度となっているか否かを判定する。
【００６１】
このように、ステップＳ１とステップＳ２を繰り返すことにより、画像表示部４内の画面上部４ａに表示される画像７０のボリュームは、図１２中符号８０ｃに示すように時間の経過と共に徐々に低くなる。ここで、ボリュームは階段状に低くなっているが、これは、電極３１，９の電位差の階調段階数を一つずつ順次低下させていることを意味している。このように階段状にボリュームを低下させると、画像表示部４には画像７０が視覚的に緩やかに薄くなりながら表示される。
【００６２】
そして、ステップＳ２において、画像７０が所定の濃度となっている場合（ＹＥＳの場合）には、画像表示部４の全領域７２を低濃度表示モードに切り替える（ステップＳ１０）。これによって、図１０（ｃ）に示すように、画像表示部４の全領域７２が同一濃度によって白表示となる。その後、全領域７２を非表示モードにすることで、全画面消去となる（ステップＳ１１）。
【００６３】
上述したように、本実施形態の液晶装置の駆動方法によれば、画像表示部４の画面上部４ａに表示される画像７０の色を、中濃度表示モードによって薄くしてから、更に低濃度表示モードによって薄くすることができ、非表示モードの濃度に近い濃度にすることができる。そして、その後に全画面消去にすることができる。従って、上記の第１及び第２実施形態と同様の効果が得られる。
【００６４】
（電子機器）
次に、本発明の上記実施形態の液晶装置を備えた電子機器の具体例について説明する。
図１３は、携帯電話の一例を示した斜視図である。図１３において、符号１０００は携帯電話本体を示し、符号１００１は上記液晶装置を用いた表示部を示している。このような携帯電話等の電子機器の表示部に、上記実施形態の液晶装置を用いた場合、ちらつきが防止された表示部を備える電子機器を実現できる。そして、特にパーシャル表示をスクロールさせる場合において、ちらつきの防止を実現できる。
【図面の簡単な説明】
【００６５】
【図１】本発明の液晶装置の断面構造を示す断面図。
【図２】本発明の液晶装置の等価回路を示す回路図。
【図３】本発明の液晶装置の画素構造を示す模式図。
【図４】本発明の液晶装置のブロック構成図。
【図５】本発明の第１実施形態に係る液晶装置の駆動方法を説明するための図。
【図６】本発明の第１実施形態に係る液晶装置の駆動方法を説明するための図。
【図７】本発明の第１実施形態に係る液晶装置の駆動方法のフローチャート図。
【図８】本発明の第１実施形態に係る液晶装置の駆動方法のボリュームを示す図。
【図９】本発明の第２実施形態に係る液晶装置の駆動方法のフローチャート図。
【図１０】本発明の第３実施形態に係る液晶装置の駆動方法を説明するための図。
【図１１】本発明の第３実施形態に係る液晶装置の駆動方法のフローチャート図。
【図１２】本発明の第３実施形態に係る液晶装置の駆動方法のボリュームを示す図。
【図１３】本発明の電子機器の一例を示す斜視図。
【符号の説明】
【００６６】
４  画像表示部（表示部）、  ４ａ  画面上部（第１領域）、  ４ｂ  画面中央部（第２領域）、  ９  共通電極（電極）、  ３１  画素電極（電極）、  ６２  ＭＰＵ（制御部）、  ７０  画像、  ７１  非表示領域、  ７２  全領域、  １００  液晶装置、  １０００  携帯電話（電子機器）。
【図１】
2007003783.tif 000003
【図２】
2007003783.tif 000004
【図３】
2007003783.tif 000005
【図４】
2007003783.tif 000006
【図５】
2007003783.tif 000007
【図６】
2007003783.tif 000008
【図７】
2007003783.tif 000009
【図８】
2007003783.tif 000010
【図９】
2007003783.tif 000011
【図１０】
2007003783.tif 000012
【図１１】
2007003783.tif 000013
【図１２】
2007003783.tif 000014
【図１３】
2007003783.tif 000015